(57)【要約】【課題】新旧制御装置の機能の差を是正して情報の共有化を図り、本構成を有しない場合に比べて、操作性向上を図る。【解決手段】旧型制御装置１８と新型制御装置４０との間で、旧型ＵＩ３６に表示される画像情報を新型制御装置４０で受け取って、その画像を解析して（パターンマッチング処理して）、新型ＵＩ４２の形態に併せて画像を生成して表示することで、リアルタイムに旧型ＵＩ３６の表示状態を新型ＵＩ４２の表示形態で確認する（ＵＩ画像転送）、並びに、新型ＵＩ４２に表示されている画像に基づくタッチ操作を、旧型ＵＩ３６に表示されている画像に基づくタッチ操作に互換する（エミュレート）。【選択図】図４
2012044258.tif 000002
【特許請求の範囲】
【請求項１】
第１の制御装置の各機能を相互に接続するバスと、第２の制御装置の各機能を相互に接続するバスとの間を、情報送受信可能に接続するバス間接続手段と、
前記第２の制御装置から前記第１の制御装置の機能が選択された場合に、前記バス間接続手段を介して第１の制御装置に設けられた第１のユーザーインターフェイスに表示される第１の画像情報を第２の制御装置へ転送する転送手段と、
前記転送手段で転送される第１の画像情報に対して画像認識処理を実行して、当該第１の画像情報の内容を認識する認識手段と、
前記認識手段で認識された第１の画像情報の内容に基づいて、前記第２の制御装置に設けられた第２のユーザーインターフェイスの表示形態に適合する第２の画像を生成する生成手段と、
前記生成手段で生成された第２の画像を、前記第２のユーザーインターフェイスに表示する表示制御手段と、
前記表示制御手段で表示された第２のユーザーインターフェイスに表示された画像に基づく入力操作を、前記第１のユーザーインターフェイスに表示された画像に基づく前記第１の制御装置に対する入力操作として認識させる入力操作認識手段と、
を有する情報共有制御装置。
【請求項２】
相対的に新旧の関係を持った一方である旧型制御装置の各機能を相互に接続するバスと、他方である新型制御装置の各機能を相互に接続するバスとの間を、情報送受信可能に接続するバス間接続手段と、
前記新型制御装置から前記旧型制御装置の機能が選択された場合に、前記バス間接続手段を介して旧型制御装置に設けられた旧型ユーザーインターフェイスに表示される旧画像情報を新型制御装置へ転送する転送手段と、
前記転送手段で転送される旧画像情報に対して画像認識処理を実行して、当該旧画像情報の内容を認識する認識手段と、
前記認識手段で認識された旧画像情報の内容に基づいて、前記新型制御装置に設けられた新型ユーザーインターフェイスの表示形態に適合する新画像を生成する生成手段と、
前記生成手段で生成された新画像を、前記新型ユーザーインターフェイスに表示する表示制御手段と、
前記表示制御手段で表示された新型ユーザーインターフェイスに表示された画像に基づく入力操作を、前記旧型ユーザーインターフェイスに表示された画像に基づく前記旧型制御装置に対する入力操作として認識させる入力操作認識手段と、
を有する情報共有制御装置。
【請求項３】
少なくとも前記画像読取装置及び画像形成装置による処理を制御する機能を持つ旧型制御装置と、
前記旧型制御装置を介して、前記画像読取装置及び画像形成装置に対して処理の実行を指示する、並びに、画像読取装置及び画像形成装置に関する情報を表示する旧型ユーザーインターフェイスと、
前記旧型制御装置によって制御され、少なくとも原稿画像を読み取って画像情報を取得する画像読取装置と、
前記旧型制御装置によって制御され、画像情報に基づいて記録用紙へ画像を形成する画像形成装置と、
前記旧型制御装置よりも多機能な新型制御装置と、
前記旧型ユーザーインターフェイスに代り、前記新型制御装置を介して、前記画像読取装置及び画像形成装置に対して処理の実行を指示する、並びに、画像読取装置及び画像形成装置に関する情報を表示する新型ユーザーインターフェイスと、
前記旧型制御装置の各機能を相互に接続するバスと、前記新型制御装置の各機能を相互に接続するバスとの間を情報送受信可能に接続するバス間接続手段と、
前記バス間接続手段を介して旧型制御装置に設けられた旧型ユーザーインターフェイスに表示される旧画像情報を新型制御装置へ転送する転送手段と、
前記転送手段で転送される旧画像情報に対して画像認識処理を実行して、当該旧画像情報の内容を認識する認識手段と、
前記認識手段で認識された旧画像情報の内容に基づいて、前記新型制御装置に設けられた新型ユーザーインターフェイスの表示形態に適合する新画像を生成する生成手段と、
前記生成手段で生成された新画像を、前記新型ユーザーインターフェイスに表示する表示制御手段と、
前記表示制御手段で表示された新型ユーザーインターフェイスに表示された画像に基づく入力操作を、前記旧型ユーザーインターフェイスに表示された画像に基づく前記旧型制御装置に対する入力操作として認識させる入力操作認識手段と、
を有する画像処理装置。
【請求項４】
前記入力操作認識手段において、前記旧型制御装置に対する入力操作として認識される機能が、
少なくとも、前記画像読取装置による画像読取機能、前記画像形成装置による画像形成機能、前記画像読取装置で読み取った画像を前記画像形成装置により記録用紙へ画像を形成する画像複写機能、前記画像読取機能で読み取った画像を専用回線を介して指定された外部装置へ送信する画像送信機能、並びに外部装置から専用回線を介して受け取った画像を受信する画像受信機能、を含む請求項３記載の画像処理装置。
【請求項５】
それぞれ情報を入力かつ情報を表示するためのユーザーインターフェイスが備えられ、相対的に旧型制御装置、並びに当該旧型制御装置よりも後に追加され、かつ旧型制御装置よりも多機能の新型制御装置を備え、前記新型制御装置が制御する新型ユーザーインターフェイスの操作によって、前記旧型制御装置及び新型制御装置の双方に対して、画像処理機能を指示するための情報共有制御プログラムであって、
前記旧型ユーザーインターフェイスに表示される旧画像を画像認識処理により認識し、  前記認識手段で認識された旧画像に基づいて、前記新型制御装置に予め格納された情報群により前記新型制御装置に対応した新画像の表示形態を生成し、
前記生成手段で生成された新画像を、前記新型ユーザーインターフェイスに表示し、
前記新型ユーザーインターフェイスに表示される新画像に対する入力操作を認識し、かつ前記旧型制御装置の旧型ユーザーインターフェイスに表示される旧画像に対する入力操作に互換することをコンピュータに実行させる情報共有制御プログラム。
【発明の詳細な説明】
【技術分野】
【０００１】
本発明は、情報共有制御装置、画像処理装置、情報共有制御プログラムに関する。
【背景技術】
【０００２】
画像処理装置における制御装置では、コピー、プリンタ、ＦＡＸやスキャナといったサービス（以下、「既存サービス機能」という）以外に、周辺ネットワーク環境の多様化に伴い、ネットワーク経由でのサービス、セキュリティー、ユーザー毎のカスタマイズ等、様々な要求（以下、「ネットワークサービス機能」」という）を実現する必要がある。
【０００３】
ここで、前記既存サービス機能は従来の制御装置で実現しつつ、前記ネットワークサービス機能は別の制御装置を介することで、全てを新規に開発するといったリスクを抑えつつソフトウェアの開発規模も抑えることが行われている。
【０００４】
特許文献１には、従来の制御装置に新しい制御装置への画像制御情報を伝達するコマンドレベルで変換することで表示を行うことが記載されている。
【０００５】
また、特許文献２には、ダイアログ定義を記述し、その記述を基にＯＳ毎にレイアウトを構築することが記載されている。
【０００６】
さらに、特許文献３には、画像からオブジェクトを抽出するに際して、オブジェクトに関する情報とレイアウトを変更するためのレイアウト制御情報を付加した電子データを作成し、それら情報を利用して画像の再構築を行うことが記載されている。
【先行技術文献】
【特許文献】
【０００７】
【特許文献３】特公平８−１６２４号公報
【特許文献３】特開２０００−０７６０５１号公報
【特許文献３】特開２００７−０１３５５０号公報
【発明の概要】
【発明が解決しようとする課題】
【０００８】
本発明は、第１の制御装置、第２の制御装置、例えば、新旧制御装置の機能の差を是正して情報の共有化を図り、本構成を有しない場合に比べて、操作性向上を図ることができる情報共有制御装置、画像処理装置、情報共有制御プログラムを得ることが目的である。
【課題を解決するための手段】
【０００９】
請求項１に記載の発明は、第１の制御装置の各機能を相互に接続するバスと、第２の制御装置の各機能を相互に接続するバスとの間を、情報送受信可能に接続するバス間接続手段と、前記第２の制御装置から前記第１の制御装置の機能が選択された場合に、前記バス間接続手段を介して第１の制御装置に設けられた第１のユーザーインターフェイスに表示される第１の画像情報を第２の制御装置へ転送する転送手段と、前記転送手段で転送される第１の画像情報に対して画像認識処理を実行して、当該第１の画像情報の内容を認識する認識手段と、前記認識手段で認識された第１の画像情報の内容に基づいて、前記第２の制御装置に設けられた第２のユーザーインターフェイスの表示形態に適合する第２の画像を生成する生成手段と、前記生成手段で生成された第２の画像を、前記第２のユーザーインターフェイスに表示する表示制御手段と、前記表示制御手段で表示された第２のユーザーインターフェイスに表示された画像に基づく入力操作を、前記第１のユーザーインターフェイスに表示された画像に基づく前記第１の制御装置に対する入力操作として認識させる入力操作認識手段と、を有している。
【００１０】
請求項２に記載の発明は、相対的に新旧の関係を持った一方である旧型制御装置の各機能を相互に接続するバスと、他方である新型制御装置の各機能を相互に接続するバスとの間を、情報送受信可能に接続するバス間接続手段と、前記新型制御装置から前記旧型制御装置の機能が選択された場合に、前記バス間接続手段を介して旧型制御装置に設けられた旧型ユーザーインターフェイスに表示される旧画像情報を新型制御装置へ転送する転送手段と、前記転送手段で転送される旧画像情報に対して画像認識処理を実行して、当該旧画像情報の内容を認識する認識手段と、前記認識手段で認識された旧画像情報の内容に基づいて、前記新型制御装置に設けられた新型ユーザーインターフェイスの表示形態に適合する新画像を生成する生成手段と、前記生成手段で生成された新画像を、前記新型ユーザーインターフェイスに表示する表示制御手段と、前記表示制御手段で表示された新型ユーザーインターフェイスに表示された画像に基づく入力操作を、前記旧型ユーザーインターフェイスに表示された画像に基づく前記旧型制御装置に対する入力操作として認識させる入力操作認識手段と、を有している。
【００１１】
請求項３に記載の発明は、少なくとも前記画像読取装置及び画像形成装置による処理を制御する機能を持つ旧型制御装置と、前記旧型制御装置を介して、前記画像読取装置及び画像形成装置に対して処理の実行を指示する、並びに、画像読取装置及び画像形成装置に関する情報を表示する旧型ユーザーインターフェイスと、前記旧型制御装置によって制御され、少なくとも原稿画像を読み取って画像情報を取得する画像読取装置と、前記旧型制御装置によって制御され、画像情報に基づいて記録用紙へ画像を形成する画像形成装置と、前記旧型制御装置よりも多機能な新型制御装置と、前記旧型ユーザーインターフェイスに代り、前記新型制御装置を介して、前記画像読取装置及び画像形成装置に対して処理の実行を指示する、並びに、画像読取装置及び画像形成装置に関する情報を表示する新型ユーザーインターフェイスと、前記旧型制御装置の各機能を相互に接続するバスと、前記新型制御装置の各機能を相互に接続するバスとの間を情報送受信可能に接続するバス間接続手段と、前記バス間接続手段を介して旧型制御装置に設けられた旧型ユーザーインターフェイスに表示される旧画像情報を新型制御装置へ転送する転送手段と、前記転送手段で転送される旧画像情報に対して画像認識処理を実行して、当該旧画像情報の内容を認識する認識手段と、前記認識手段で認識された旧画像情報の内容に基づいて、前記新型制御装置に設けられた新型ユーザーインターフェイスの表示形態に適合する新画像を生成する生成手段と、前記生成手段で生成された新画像を、前記新型ユーザーインターフェイスに表示する表示制御手段と、前記表示制御手段で表示された新型ユーザーインターフェイスに表示された画像に基づく入力操作を、前記旧型ユーザーインターフェイスに表示された画像に基づく前記旧型制御装置に対する入力操作として認識させる入力操作認識手段と、を有している。
【００１２】
請求項４に記載の発明は、前記請求項３に記載の発明において、前記入力操作認識手段において、前記旧型制御装置に対する入力操作として認識される機能が、少なくとも、前記画像読取装置による画像読取機能、前記画像形成装置による画像形成機能、前記画像読取装置で読み取った画像を前記画像形成装置により記録用紙へ画像を形成する画像複写機能、前記画像読取機能で読み取った画像を専用回線を介して指定された外部装置へ送信する画像送信機能、並びに外部装置から専用回線を介して受け取った画像を受信する画像受信機能、を含む。
【００１３】
請求項５に記載の発明は、それぞれ情報を入力かつ情報を表示するためのユーザーインターフェイスが備えられ、相対的に旧型制御装置、並びに当該旧型制御装置よりも後に追加され、かつ旧型制御装置よりも多機能の新型制御装置を備え、前記新型制御装置が制御する新型ユーザーインターフェイスの操作によって、前記旧型制御装置及び新型制御装置の双方に対して、画像処理機能を指示するための情報共有制御プログラムであって、前記旧型ユーザーインターフェイスに表示される旧画像を画像認識処理により認識し、前記認識手段で認識された旧画像に基づいて、前記新型制御装置に予め格納された情報群により前記新型制御装置に対応した新画像の表示形態を生成し、前記生成手段で生成された新画像を、前記新型ユーザーインターフェイスに表示し、前記新型ユーザーインターフェイスに表示される新画像に対する入力操作を認識し、かつ前記旧型制御装置の旧型ユーザーインターフェイスに表示される旧画像に対する入力操作に互換することをコンピュータに実行させる情報共有制御プログラムである。
【発明の効果】
【００１４】
請求項１、請求項２、請求項３、請求項５記載の発明によれば、第１の制御装置、第２の制御装置、例えば、新旧制御装置の機能の差を是正して情報の共有化を図り、本構成を有しない場合に比べて、操作性向上を図ることができる。
【００１５】
請求項４記載の発明によれば、新型制御装置側から旧型制御装置への制御対象を明確とすることができる。
【図面の簡単な説明】
【００１６】
【図１】本実施の形態に係る画像処理装置の概略図である。
【図２】本実施の形態に係る画像処理装置の制御系の概略を示すブロック図である。
【図３】本実施の形態に係る新型制御装置を搭載した画像処理装置の概略図であり（Ａ）は新型制御装置を画像処理装置壁面に取り付けた場合の外観、（Ｂ）は新型制御装置を画像処理装置に設けた設置台に設置した場合の外観を示す。
【図４】新型制御装置と旧型制御装置のそれぞれの制御系の詳細を示すブロック図である。
【図５】（Ａ）は旧型ＵＩ上にコピー指定画面を表示した場合の正面図、（Ｂ）は図５（Ａ）の解析結果のデータ図表（スクリプト）、（Ｃ）は新型ＵＩに図５（Ｂ）の解析結果に基づいてコピー指定画面を表示した場合の正面図である。
【図６】新型ＵＩ上にメニュー画面を表示した場合の正面図である。
【図７】本実施の形態に係る、新型制御装置の新型ＵＩの操作制御ルーチンを示すフローチャートである。
【図８】図７のステップ１０８において実行される、旧型制御装置側での機能呼出処理制御ルーチンを示すフローチャートである。
【発明を実施するための形態】
【００１７】
図１には、本実施の形態に係る画像処理装置１０が示されている。画像処理装置１０は、記録用紙に画像を形成する画像形成サービスを実行する画像形成装置１２と、原稿画像を読み取る画像読取サービスを実行する画像読取装置１４とを備えている。なお、画像処理装置１０のサービス機能として、ファクシミリ通信機能１６を備えていてもよい。
【００１８】
画像処理装置１０は、制御装置１８を備えており、画像形成装置１２を制御する画像形成制御部２０、画像読取装置１４を制御する画像読取制御部２２を総合的に制御して、画像読取サービス、画像形成サービス（複写サービス、プリントサービス）、ファクシミリ送受信サービスの各サービスを実行する。
【００１９】
画像形成装置１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２０】
画像読取装置１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２１】
図２に示される如く、制御装置１８は、ＣＰＵ２４、ＲＡＭ２６、ＲＯＭ２８、Ｉ／Ｏ（入出力部）３０、及びこれらを接続するデータバスやコントロールバス等のバス３２を有している（ここでは、概略を示し、詳細は図４参照）。
【００２２】
Ｉ／Ｏ３０には、ＵＩ制御回路３４を介してＵＩ３６が接続されている。また、Ｉ／Ｏ３０には、ハードディスク（ＨＤＤ）３８が接続されている。ＣＰＵ２４は、ＲＯＭ２８やハードディスク３８等に記録されているプログラムに基づいて動作し、制御装置１８の機能を実現する。
【００２３】
Ｉ／Ｏ３０には、画像読取装置１４を制御する画像読取制御装置２２、画像形成装置１２を制御する画像形成制御装置２０が接続されている。
【００２４】
ここで、前記制御装置１８は、前記画像処理装置１０の製造時から設けられているものであり、ＵＩ３６からの指示に基づいて、前記画像読取装置１４及び画像形成装置１２を制御し、前記サービス（画像読取サービス、複写サービス、プリントサービス、ファクシミリ送受信サービス）を実行するが、この既存の画像処理装置１０に対して、新たなサービスを追加する必要が生じる場合がある。
【００２５】
例えば、新たなサービスとは、周辺ネットワーク環境の多様化に伴う、ネットワーク経由での新サービスや、セキュリティー体制の向上、ユーザー毎の設定等がある。
【００２６】
このような新たなサービスを実行可能とするためには、前記制御装置１８では、能力不足であるため、当該制御装置１８よりも高性能なＣＰＵやメモリ、高速なバスが必要となる。
【００２７】
そこで、本実施の形態では、図３（Ａ）に示される如く、既存の制御装置（以下、既存の制御装置を「旧型制御装置１８という。）における、既存のサービスの制御を維持しつつ、別途新たな制御装置（以下、新たな制御装置を「新型制御装置４０」という。）を、例えば、図３（Ａ）は、既存の画像処理装置１０の側面（背面でもよい）に取り付けることで、新たなサービスに関しては、当該新型制御装置４０を介して処理を実行する構成とした画像処理装置１０Ａを示している。この画像処理装置１０Ａは、旧型制御装置１８に対応するＵＩ（以下、「旧型ＵＩ３６」という）によって、新型制御装置４０に付加されたサービスの操作指示ができない。このため、新型制御装置４０に対応するＵＩ（以下、「新型ＵＩ４２」という）が、旧型ＵＩ３６に重なるように設置されている。結果として、旧ＵＩ３６は隠蔽されることになる。
【００２８】
本実施の形態では、旧型制御装置１８は、画像記述スクリプトを基に画面を表示する機能を持たない装置であり、一方、新型制御装置４０は、画像記述スクリプトを基に画面を表示する機能を持った装置である。
【００２９】
なお、新型制御装置４０及び新型ＵＩ４２の設置構成において、図３（Ｂ）に示される如く、画像処理装置１０の傍らに（例えば、側面）に設置台４４を設け、当該設置台４４に、新型制御装置４０を載せて、ケーブル４６を介して、旧型制御装置１８と接続する構成としてもよい。この場合、新型制御装置４０のモニタ４０Ｍを新型ＵＩ４２としての役目（すなわち、タッチパネル機能）を持たせるようにしてもよい。
【００３０】
上記構成（図３（Ａ）又は（Ｂ）に示す新型制御装置４０を付加した構成）の画像処理装置１０Ａでは、新型ＵＩ４２によって、従前のサービスを含み、全てのサービスの実行を指示するようになっている。
【００３１】
このため、本実施の形態では、旧型制御装置１８と新型制御装置４０との間で以下のような情報送受信の形態を実現した。
（形態１）  旧型ＵＩ３６に表示される画像情報を新型制御装置４０で受け取って、その画像を解析して（パターンマッチング処理して）、新型ＵＩ４２の形態に併せて画像を生成して表示することで、リアルタイムに旧型ＵＩ３６の表示状態を新型ＵＩ４２の表示形態で確認する（ＵＩ画像転送）。
（形態２）  新型ＵＩ４２に表示されている画像に基づくタッチ操作を、旧型ＵＩ３６に表示されている画像に基づくタッチ操作に互換する（エミュレート）。
【００３２】
図４は、旧型制御装置１８と、新型制御装置４０との制御系ハード構成の接続状態を示すブロック図である。
【００３３】
図４には、一対のバス３２、４８が設けられ、下段が旧型制御装置１８のバス３２であり、上段が新型制御装置４０のバス４８である。
【００３４】
旧型制御装置１８のバス３２には、バスブリッジ５０が接続されており、このバスブリッジ５０には、ＣＰＵ２４、ＶＲＡＭ５２、ＳＤＲＡＭ５４が接続されている。また、バス３２には、旧型ＵＩ３６、ＩＯＴ(画像形成制御部）２０、ＩＩＴ（画像読取制御部２２）、ＦＡＸ（ファクシミ通信制御部）５６が接続されている。
【００３５】
一方、新型制御装置４０のバス４８には、バスブリッジ５８が接続されており、このバスブリッジ５８には、ＣＰＵ６０、ＶＲＡＭ６２、ＳＤＲＡＭ６４が接続されている。また、バス３２には、新型ＵＩ４２、ネットワークＩ／Ｆ６６が接続されている。
【００３６】
ここで、旧型制御装置１８側のバス３２と、新型制御装置４０側のバス４８とは、ＰＣＩコントローラ６８を介して、相互に接続されている。ＰＣＩコントローラ６８は、高速ＤＭＡ転送可能なデバイスであり、本実施の形態では、旧型制御装置１８のＶＲＡＭ５２から画像情報を取得して、新型制御装置４０のＳＤＲＡＭ６４へ当該取得した画像情報を転送する役目を有している(図４の（１）で示す鎖線参照）。
【００３７】
なお、ＰＣＩコントローラ６８は、旧型制御装置１８又は新型制御装置４０の何れに設けてもよいが、旧型制御装置１８を既存の状態で維持するためには、ＰＣＩコントローラ６８は、新型制御装置４０に組み込むことが好ましい。
【００３８】
また、ＶＲＡＭ５２からＰＣＩコントローラ６８への転送においては、ＰＣＩバスから該当する領域が読み書きできるようにバスブリッジを制御する必要があるが、新型ＵＩ４２が接続されており、そのためにその領域を開放しているために、ソフトウェアでそれを制御する必要は一切ない。
【００３９】
新規制御装置４０では、ＳＤＲＡＭ６４に一時記憶された画像情報を、ＣＰＵ６０で解析して、パターンマッチングにより認識するようになっている（図４の（２）で示す鎖線参照）。すなわち、新型制御装置４０で画面を構築するための画面記述スクリプトを蓄積しているスクリプトデータベースに基づいて、互換を実行する。
【００４０】
画像記述スクリプトにより、新型制御装置４０は画像を生成し、生成した画像を新型ＵＩ４２上に表示する（図４の（３）で示す鎖線参照）。
【００４１】
また、バス３２にはシリアルＩ／Ｆ７０が接続され、バス４８にはシリアルＩ／Ｆ７２が接続されており、この２つのシリアルＩ／Ｆ７０、７２が互いに、バス３２、４８を介さずに、直接接続されている。すなわち、シリアルＩ／Ｆ７０、７２間は専用の通信回線であり、例えば、バス３２、４８がアーミストレーション等によって調停処理が実行されたとしても、これに関係なく、リアルタイムに情報を送受信可能である。
【００４２】
本実施の形態では、新型制御装置４０側の新型ＵＩ４２から、旧型制御装置１８への操作指示があった場合に（図４の（４）で示す鎖線参照）、バス４８に接続されたシリアルＩ／Ｆ７２から、バス３２に接続されたシリアルＩ／Ｆ７０へ当該操作指示情報を送信するようになっている（図４の（５）で示す鎖線参照）。
【００４３】
旧型制御装置１８では、このシリアルＩ／Ｆ７０で受けた操作指示情報をＣＰＵ２４へ送信することで、ＣＰＵ２４では、旧型ＵＩ３６の操作指示を受けたと同等の処理が実行される。すなわち、新型制御装置４０が旧型制御装置１８の旧型ＵＩ３６を擬似的に操作したことになる（エミュレート操作）。
【００４４】
以下に、本実施の形態の作用を説明する。
【００４５】
上記構成により、画像処理装置１０Ａは、以下の動作を実行する。
【００４６】
新規制御装置４０では、ＳＤＲＡＭ６４に一時記憶された画像情報を、パターンマッチングにより認識する。すなわち、旧型制御装置１８の旧型ＵＩ３６の画面自体（図５（Ａ）参照）を認識する。
【００４７】
想定される画面すべてに対して、その画面にあるパラメータ入力部品の位置情報を蓄積しているパラメータ部品データベースと、想定される画面すべてと、それに対応する新型制御装置４０で画面を構築するための画面記述スクリプトを蓄積しているスクリプトデータベースを保持する。
【００４８】
画像記述スクリプト７４（図５（Ｂ）参照）により、新型制御装置４０は画像を生成し、生成した画像を新型ＵＩ４２上に表示する（図５（Ｃ）参照）。
【００４９】
ユーザーが、この新型ＵＩ４２に表示された画像に対してタッチ操作すると、ポインティングエミュレート機能により、そのタッチ操作（操作指示）に基づいてパラメータ部品データベースを参照し、旧型制御装置１８の該当するパラメータ入力部品を操作するようにシリアルＩ／Ｆ７２、７０を介して、旧型制御装置１８へコマンドを送信する。これにより、旧型制御装置１８の旧型ＵＩ３６が擬似的に操作される。
【００５０】
図７及び図８は、上記構成の画像処理装置１０Ａ（旧型制御装置１８に対して、新型制御装置４０が付加された構成の画像処理装置）において、新型制御装置４０が管理する新型ＵＩ４２から、旧型制御装置１８の制御の操作指示を行う場合の操作手順を示すフローチャートである。
【００５１】
図７は、新型制御装置４０の新型ＵＩ４２の操作制御ルーチンであり、ステップ１００では、メニュー選択されたか否かが判断される。例えば、新型ＵＩ４２には、図６に示すようなメニュー画面７６が表示されており、ユーザーは、コピー指示領域７８、ＦＡＸ指示画像８０、スキャン指示画像８２、高度なジョブ１画像８４、高度なジョブ２画像８６の何れかをタッチ操作する。
【００５２】
なお、このメニュー画面７６において、コピー指示領域７８、ＦＡＸ指示画像８０、スキャン指示画像８２の何れかがタッチされた場合のサービスは、旧型制御装置１８が実行対象となり、高度なジョブ１画像８４、高度なジョブ２画像８６の何れかがタッチ操作された場合のサービスは、新型制御装置４０が実行対象となる。
【００５３】
ステップ１００で否定判定された場合は、このルーチンは終了し、新型ＵＩ４２ではメニュー画面７６の表示が継続される。
【００５４】
また、ステップ１００で肯定判定されると、ステップ１０２へ移行して、タッチ操作された機能を判別する。
【００５５】
次のステップ１０４では、判別した機能の実行対象が旧型制御装置１８であるか、新型制御装置４０であるかを判定する。
【００５６】
このステップ１０４で、実行対象が新型制御装置４０と判定された場合は、ステップ１０６へ移行して、新型制御装置４０の制御の下で処理が実行され、このルーチンは終了する。一方、ステップ１０４で、実行対象が旧型制御装置１８と判定された場合は、ステップ１０８へ移行して、旧型制御装置１８の制御の下で処理が実行され、このルーチンは終了する。
【００５７】
図８は、図７のステップ１０８において実行される、旧型制御装置側での機能呼出処理制御ルーチンを示すフローチャートである。
【００５８】
ステップ１１０では、旧型制御装置１８のＶＲＡＭ５２から、ＰＣＩコントローラ６８を介して、旧型ＵＩ３６の表示画像情報を取り込む。
【００５９】
次のステップ１１２では、ＰＣＩコントローラ６８によってＤＭＡ転送された前記旧型ＵＩ３６の表示画像情報を、新型制御装置４０のＳＤＲＡＭ６４に一時保存し、ステップ１１４へ移行する。
【００６０】
ステップ１１４では、前記ＳＤＲＡＭ６４に保存した画像を対象に、パターンマッチングにより画像解析を行い、次いで、ステップ１１６へ移行して新型ＵＩ用４２の画像に置き換える入力画像部品を選択し、ステップ１１８へ移行する。
【００６１】
ステップ１１８では、新型ＵＩ４２に画像を表示する。この画像は、図５（Ｃ）に示される如く、新型制御装置４０が管理する入力画像部品で構成され、図５（Ａ）に示す旧型制御装置１８が管理する入力画像部品で構成された画像とは異なるが、内容を同一となっている。
【００６２】
次のステップ１２０では、前記新型ＵＩ４２からの操作指示（タッチ操作）があったか否かが判断され、肯定判定されると、ステップ１２２へ移行して操作指示情報を認識し、次いでステップ１２４へ移行して、シリアルＩ／Ｆ７２、７０を介して、旧型制御装置１８のＣＰＵ２４へ送信し、ステップ１２６へ移行する。この場合、ＣＰＵ２４は、旧型ＵＩ３６からの操作指示として認識する。
【００６３】
なお、前記ステップ１２０で否定判定された場合、ステップ１２６へ移行する。
【００６４】
ステップ１２６では、旧型制御装置１８でのサービス処理が終了したか否かが判断され、否定判定された場合は、ステップ１１０へ戻り、上記工程を繰り返す。また、ステップ１２６で工程判定された場合、このルーチンは終了する。
【符号の説明】
【００６５】
１０    画像処理装置
１２    画像形成装置
１４    画像読取装置
１６    ファクシミリ通信機能
１８    （旧型）制御装置
２０    画像形成制御部
２２    画像読取制御部
２４    ＣＰＵ
２６    ＲＡＭ
２８    ＲＯＭ
３０    Ｉ／Ｏ
３２    バス
３４    ＵＩ制御回路
３６    （旧型）ＵＩ
３８    ハードディスク（ＨＤＤ）
４０    新型制御装置
４２    新型ＵＩ
４４    設置台
４６    ケーブル
４０Ｍ    モニタ
４８    バス
５０    バスブリッジ
５２    ＶＲＡＭ
５４    ＳＤＲＡＭ
５６    ＦＡＸ（ファクシミ通信制御部）
５８    バスブリッジ
６０    ＣＰＵ
６２    ＶＲＡＭ
６４    ＳＤＲＡＭ
６６    ネットワークＩ／Ｆ
６８    ＰＣＩコントローラ
７０    シリアルＩ／Ｆ
７２    シリアルＩ／Ｆ
７４    画像記述スクリプト
７６    メニュー画面
７８    コピー指示領域
８０    ＦＡＸ指示画像
８２    スキャン指示画像
８４    高度なジョブ１画像
８６    高度なジョブ２画像
【図１】
2012044258.tif 000003
【図２】
2012044258.tif 000004
【図３】
2012044258.tif 000005
【図４】
2012044258.tif 000006
【図５】
2012044258.tif 000007
【図６】
2012044258.tif 000008
【図７】
2012044258.tif 000009
【図８】
2012044258.tif 000010